(57)【要約】【課題】本発明は、幅木を回動自在に組付け、また、親綱支柱を回動自在に組付けることにより支保工の組立て・折畳み作業能率を著しくアップせしめることが出来る支保工を提供するものである。【解決手段】支保工を構成する相隣る水平つなぎ材５には各々長尺幅木部材１４が取付け部材１３を介して折畳み方向に回動自在に組付けられると共に、該各長尺幅木部材１４の両端部には連結自在な短尺幅木部材１５が折畳み自在に枢着されている。また、支保工を構成する最外側の支保枠部材１ｂ上端部に所要長の収納管１９が取付けられると共に、該収納管１９には親綱支柱２２が掛止ピン２５を介して起立自在に収納されている。【選択図】        図１
2004197364.tif 000002
【特許請求の範囲】
【請求項１】
両側一対の支柱を筋かいや水平つなぎ材等により連結して方形状に形成された少なくとも両側一対の支保枠部材が所定間隔をおいて配設され、該各両側の支保枠部材上には順次同形状とされた所要数の支保枠部材がヒンジ部材を介して折畳み自在に連結され、両側に各々相隣る支保枠部材の両側は所要長の間隔規制部材を介して折畳み方向に回動自在に連結されると共に筋かいが後付け自在とされ、かつ、両側に相隣る支保枠部材間には水平つなぎ材等を介して階段や床付き布わく等所要の支保工部材が折畳み方向に回動自在に組付けられてなり、組立て時には最上部の両側支保枠部材より間隔規制部材でもって間隔を規制せしめつつ両側の支保枠部材を順次起立せしめてその両側を筋かいにより連結して組立て、折畳み時には最下部の両側支保枠部材より順次筋かいを取外し、間隔規制部材により間隔を規制せしめつつ両側の支保枠部材を折畳むべく構成されてなる支保工において、上記相隣る支保枠部材を構成する水平つなぎ材には各々長尺幅木部材が取付け部材を介して折畳み方向に回動自在に組付けられると共に、該各長尺幅木部材の両端部には連結自在な短尺幅木部材が折畳み自在に枢着されてなることを特徴とする、支保工。
【請求項２】
両側一対の支柱を筋かいや水平つなぎ材等により連結して方形状に形成された少なくとも両側一対の支保枠部材が所定間隔をおいて配設され、該各両側の支保枠部材上には順次同形状とされた所要数の支保枠部材がヒンジ部材を介して折畳み自在に連結され、両側に各々相隣る支保枠部材の両側は所要長の間隔規制部材を介して折畳み方向に回動自在に連結されると共に筋かいが後付け自在とされ、かつ、両側に相隣る支保枠部材間には水平つなぎ材等を介して階段や床付き布わく等所要の支保工部材が折畳み方向に回動自在に組付けられてなり、組立て時には最上部の両側支保枠部材より間隔規制部材でもって間隔を規制せしめつつ両側の支保枠部材を順次起立せしめてその両側を筋かいにより連結して組立て、折畳み時には最下部の両側支保枠部材より順次筋かいを取外し、間隔規制部材により間隔を規制せしめつつ両側の支保枠部材を折畳むべく構成されてなる支保工において、上記最外側の支保枠部材上端部に所要長の収納管が取付けられると共に、該収納管には親綱支柱が掛止ピンを介して起立自在に収納されてなることを特徴とする、支保工。
【発明の詳細な説明】
【０００１】
【発明の属する技術分野】
本発明は、橋梁工事、各種建築工事、あるいは土木工事等において、所要の橋桁や大トラス等の重量物を架設せしめるさいに使用する折畳み自在な支保工に関する。
【０００２】
【従来の技術】
従来より、この種の折畳み自在とされた支保工としては、本発明者が先に提案した支保工、即ち、両側一対の支柱を筋かいや水平つなぎ材等により連結して方形状に形成された少なくとも両側一対の支保枠部材が所定間隔をおいて配設され、該各両側の支保枠部材上には順次同形状とされた所要数の支保枠部材がヒンジ部材を介して折畳み自在に連結され、両側に各々相隣る支保枠部材の両側は所要長の間隔規制部材を介して折畳み方向に回動自在に連結されると共に筋かいが後付け自在とされ、かつ、両側に相隣る支保枠部材間には水平つなぎ材等を介して階段や床付き布わく等所要の支保工部材が折畳み方向に回動自在に組付けられたものが知られている（特開２００２−２１２９２０号公報参照）（特許文献１）。
そして、上述の如く構成された従来の支保工は、最上部の両側支保枠部材をクレ−ン等により吊上げつつ、順次ヒンジ部材を介して両側の支保枠部材を間隔規制部材により間隔規制せしめつつ起立せしめると共に、これに連動して階段や床付き布わく等の支保工部材を回動せしめつつ起立せしめたのち、相隣る支保枠部材の両側を筋かいにより交差状に連結して組立てる。
逆に、折畳むさいには、最上部の両側支保枠部材をクレ−ン等により吊下げつつ、最下部の両側支保枠部材より順次後付け筋かいを取外しつつヒンジ部材を介して順次折重ねると共に、これに連動して階段や床付き布わく等の支保工部材を回動せしめつつ両側支保枠部材間に折込み、全体をコンパクトに折畳むものである。
【０００３】
【発明が解決しようとする課題】
ところで、上述の如く構成された従来の支保工は、その組立て時においては床付き布わく等の支保工部材と水平つなぎ材・間隔規制部材との間に隙間を生じるため、物品の落下防止や作業者の安全確保等の点から幅木を囲繞状に取付けて塞ぐものとされている。そして、かかる幅木の取付けは、両側一対の支保枠部材間に組付けた階段や床付き布わく等が邪魔となって囲繞状に組付けることが非常に困難であることから、従来より組立て後に後付けするものとされており、ひいては、その作業が非常に面倒で手間がかかるのみならず、折畳み時には逆に一々取外さなければならないものであって、全体として支保工の組立て・折畳み作業能率を低下せしめるものとなっていた。
また、支保工の組立て時において取付ける親綱支柱においても、支保工自体が折畳み自在とされているから、必然的に後付けせざるを得ず、ひいては、その取付け作業が非常に面倒で手間がかかるのみならず、折畳み時には逆に一々取外さなければならず、全体として支保工の組立て・折畳み作業能率を低下せしめるものとなっていた。
【０００４】
【特許文献１】
特開２００２−２１２９２０号公報
【０００５】
本発明は、かかる従来例の問題点を解決しようとするもので、幅木を回動自在に組付け、また、親綱支柱を回動自在に組付けることにより支保工の組立て・折畳み作業能率を著しくアップせしめることが出来る支保工を提供するにある。
【０００６】
【課題を解決するための手段】
上記の目的を達成するため、本発明の請求項１記載の発明は、両側一対の支柱を筋かいや水平つなぎ材等により連結して方形状に形成された少なくとも両側一対の支保枠部材が所定間隔をおいて配設され、該各両側の支保枠部材上には順次同形状とされた所要数の支保枠部材がヒンジ部材を介して折畳み自在に連結され、両側に各々相隣る支保枠部材の両側は所要長の間隔規制部材を介して折畳み方向に回動自在に連結されると共に筋かいが後付け自在とされ、かつ、両側に相隣る支保枠部材間には水平つなぎ材等を介して階段や床付き布わく等所要の支保工部材が折畳み方向に回動自在に組付けられてなり、組立て時には最上部の両側支保枠部材より間隔規制部材でもって間隔を規制せしめつつ両側の支保枠部材を順次起立せしめてその両側を筋かいにより連結して組立て、折畳み時には最下部の両側支保枠部材より順次筋かいを取外し、間隔規制部材により間隔を規制せしめつつ両側の支保枠部材を折畳むべく構成されてなる支保工において、上記相隣る支保枠部材を構成する水平つなぎ材には各々長尺幅木部材が取付け部材を介して折畳み方向に回動自在に組付けられると共に、該各長尺幅木部材の両端部には連結自在な短尺幅木部材が折畳み自在に枢着されてなることを特徴とする、支保工を要旨とするものである。
【０００７】
本発明の請求項２記載の発明は、両側一対の支柱を筋かいや水平つなぎ材等により連結して方形状に形成された少なくとも両側一対の支保枠部材が所定間隔をおいて配設され、該各両側の支保枠部材上には順次同形状とされた所要数の支保枠部材がヒンジ部材を介して折畳み自在に連結され、両側に各々相隣る支保枠部材の両側は所要長の間隔規制部材を介して折畳み方向に回動自在に連結されると共に筋かいが後付け自在とされ、かつ、両側に相隣る支保枠部材間には水平つなぎ材等を介して階段や床付き布わく等所要の支保工部材が折畳み方向に回動自在に組付けられてなり、組立て時には最上部の両側支保枠部材より間隔規制部材でもって間隔を規制せしめつつ両側の支保枠部材を順次起立せしめてその両側を筋かいにより連結して組立て、折畳み時には最下部の両側支保枠部材より順次筋かいを取外し、間隔規制部材により間隔を規制せしめつつ両側の支保枠部材を折畳むべく構成されてなる支保工において、上記最外側の支保枠部材上端部に所要長の収納管が取付けられると共に、該収納管には親綱支柱が掛止ピンを介して起立自在に収納されてなることを特徴とする、支保工を要旨とするものである。
【０００８】
【発明の実施の形態】
以下に、本発明の実施の形態を図面に示す一実施例に基づいて説明する。
図１乃至図８は本発明の一実施例を示すもので、同図中、１ａは所定間隔をおいて配設された両側一対の略方形状下部支保枠部材、２は該両側の下部支保枠部材１ａを構成する所要の長さを備えた両側一対の金属パイプ製支柱、３は該両側支柱２の上下端部に各々放射状に突設された取付け部材、４は該取付け部材３を介して両側支柱２の上端部間に所定間隔でもって横架せしめられた横架材、５は該横架材４の若干上方に取付け部材３を介して横架状に取付けられた水平つなぎ材、６は取付け部材３を介して両側の支柱２を交差状に連結せしめる一対の筋かいである。１ｂは両側の下部支保枠部材１ａ上に各々ヒンジ部材７を介して所定方向に折畳み自在に連結された両側一対の上部支保枠部材で、該両側の上部支保枠部材１ｂは下部支保枠部材１ａと同形状に形成されている。８は上部支保枠部材１ｂ及び下部支保枠部材１ａの両側上端部を各々所定間隔でもって連結せしめる両側一対の間隔規制部材で、該各間隔規制部材８は取付け部材３を介して上下部支保枠部材１ｂ・１ａの折畳み方向に回動自在に枢着せしめられている。９・１０は下部支保枠部材１ａ及び上部支保枠部材１ｂの両側水平つなぎ材５間に各々つかみ金具１１を介して折畳み方向に回動自在に組付けられた床付き布わくと開閉板、１２は水平つなぎ材５及び間隔規制部材８との隙間を塞ぐべく該床付き布わく９・開閉板１０の外周縁に沿って囲繞状に組付けられた幅木で、該幅木１２は両側下部支保枠部材１ａの水平つなぎ部材５に各々つかみ金具１３を介して折畳み方向に回動自在に組付けられた長尺幅木部材１４と、該各長尺幅木部材１４の両端部に各々折重ね自在に枢着された短尺幅木部材１５と、該短尺幅木部材１５どうしを連結せしめるくさび材１６とより構成されている。１７は上端部が各々上下部支保枠部材１ｂ・１ａの一側横架材４につかみ金具１８を介して折畳み方向に回動自在に組付けられた折畳み自在な階段、１９は上部支保枠部材１ｂの一側横架材４に上部つかみ金具２０と下部取付け金具２１を介して縦向き状に取付けられた所要長の親綱支柱用収納管、２２は該収納管１９内に引出し自在に収納された所要長の親綱支柱、２３は該親綱支柱２２の上端部に形成された親綱保持金具、２４は親綱支柱２２の長手方向に沿って所定ピッチ毎に形成されたピン挿通孔、２５は該ピン挿通孔２４に挿通自在とされた掛止ピンで、上記親綱支柱２２は必要に応じて収納管１９より引出しつつ、掛止ピン２５を上部つかみ金具２０に形成された掛止孔２６を通して所要のピン挿通孔２４に挿通掛止せしめることにより所要の高さに起立せしめるものとされている。その他、２７は両側の下部支保枠部材１ａ及び上部支保枠部材１ｂの両側に取付け部材３を介して各々交差状に後付け自在とされた一対の筋かいである。
【０００９】
上述の如く構成された実施例は、従来例と同様に、使用時には図１に示すように組立てて使用し、不使用時には図８に示すように折畳んでコンパクトに纏めることが出来るものである。
【００１０】
即ち、使用時には、両側の上部支保枠部材１ｂをクレ−ン等により吊上げつつ、ヒンジ部材７を介して上部支保枠部材１ｂを間隔規制部材８により一定間隔に規制せしめつつ起立せしめると共に、これに連動して横架材４・水平つなぎ材５を各々回転支軸としつつ階段１７・床付き布わく９・開閉板１０を回動せしめて起立せしめたのち、相隣る上部支保枠部材１ｂの両側を筋かい２７により交差状に連結せしめる。次いで、図６及び図７に図示するように、収納管１９より親綱支柱２２を引出し、掛止ピン２５を上部つかみ金具２０の掛止孔２６より所要のピン挿通孔２４に挿通せしめ、親綱支柱２２を所要の高さに起立せしめると共に、親綱（図示略）を張設せしめる。
上部支保枠部材１ｂの組立てが完了すると、更に上部支保枠部材１ｂを吊上げ、下部支保枠部材１ａを間隔規制部材８により間隔規制せしめつつ起立せしめると共に、これに連動して階段１７・床付き布わく９・開閉板１０を各々回動せしめて起立せしめたのち、相隣る下部支保枠部材１ａの両側を筋かい２７により交差状に連結せしめる。しかるのち、図２乃至図５に図示するように、水平つなぎ材５を回転支軸として両側の長尺幅木部材１４を内方に回動せしめつつ一側の短尺幅木部材１５を起立せしめると共に、同他側の短尺幅木部材１５を起立せしめ、対応する短尺幅木部材１５どうしをクサビ材１６でもって連結し、床付き布わく９・開閉板１０を囲繞せしめて水平つなぎ材５と間隔規制部材８との間の隙間を塞ぎ、組立てを完了する（図１参照）。このさい、幅木１２は、両側の水平つなぎ材５に沿って各々長尺幅木部材１４がつかみ金具１３により回動自在に組付けられると共に、該各長尺幅木部材１４の両端に連結自在な短尺幅木部材１５が各々折畳み自在に枢着されているから、組立て時においても階段１７や床つき布わく９などに邪魔されることなく迅速、かつ、確実に作業能率よく組立て作業を行なうことが出来るものである。
【００１１】
逆に、折畳むさいには、短尺幅木部材１５の連結を解放せしめて長尺幅木部材１４に折重ねると共に、水平つなぎ材５を回転支軸として両側の長尺幅木部材１４を外方に回動せしめて倒伏（図２参照）せしめ、次いで、上部支保枠部材１ｂをクレ−ン等により吊下げて吊設支持せしめつつ、支保枠部材１ａより筋かい２７を取外す。筋かい２７の取外しが完了すると、上部支保枠部材１ｂを吊降し、両側の下部支保枠部材１ａを間隔規制部材８により一定の間隔に間隔規制せしめつつヒンジ部材７を介して折曲せしめ、横倒し状に接地せしめる。このさい、幅木１２・床付き布わく９・開閉板１０・階段１７は水平つなぎ材５・横架材４を各々介して回動しつつ両側の下部支保枠部材１ａ間に折込まれる。次いで、親綱支柱２２の掛止を解放して収納管１９内に収納せしめ、図６に２点鎖線で示すように掛止ピン２５を介して収納状態に固定せしめると共に、上部支保枠部材１ｂより筋かい２７を取外したのち、両側の上部支保枠部材１ｂを間隔規制部材８により間隔規制せしめつつ更に吊降し、収納管１９に収納せしめた親綱支柱２２と共に階段１７・床付き布わく９・開閉板１０を各々折込みつつヒンジ部材７を介して下部支保枠部材１ａ上に折重ね、折畳みを完了する（図８参照）。
【００１２】
なお、上記実施例は上下部支保枠部材１ｂ・１ａの２層構成とされているが、これに限定されるものでなく、多対・多層状に構成せしめてもよいものである。
【００１３】
【発明の効果】
請求項１記載の発明によれば以上の次第で、支保工を構成する相隣る水平つなぎ材に沿って各々長尺幅木部材が取付け部材を介して折畳み方向に回動自在に組付けられると共に、該各長尺幅木部材の両端に連結自在な短尺幅木部材が各々折畳み自在に枢着されているから、組立て時においては階段や床付き布わく等に邪魔されることなく迅速、かつ、確実に作業能率よく組立てることが出来るのみならず、使用後の折畳み時においても、短尺幅木部材の連結を解放せしめて長尺幅木部材に折重ねると共に、長尺幅木部材を外方に回動して倒伏せしめることにより支保枠部材間に簡単に折込むことが出来るものであって、ひいては、幅木を後付けせしめる従来例に比して、支保工の組立て・折畳み作業能率を著しくアップせしめることが出来るものである。
【００１４】
請求項２記載の発明によれば以上の次第で、支保工を構成する最外側の支保枠部材に所要長の収納管が取付けられると共に、該収納管には親綱支柱が掛止ピンを介して起立自在に収納されているから、支保工の組立て時には親綱支柱を収納管より引出して所要の長さに起立せしめ、使用後においては収納管に収納せしめて支保枠部材に沿せつつ折込むことが出来るものであって、親綱支柱を後付けせしめる従来例に比して、支保工の組立て・折畳み作業能率を著しくアップせしめることが出来るものである。
【図面の簡単な説明】
【図１】本発明の一実施例を示す組立てた状態の斜視図である。
【図２】実施例に示す幅木１２の折畳んだ状態を示す斜視図である。
【図３】実施例に示す幅木１２の組立て状態を示す斜視図である。
【図４】実施例に示す幅木１２の組立て状態を示す斜視図である。
【図５】実施例に示す幅木１２の組立てた状態を示す斜視図である。
【図６】実施例に示す親綱支柱２２の起立状態を示す正面図である。
【図７】図６の側面図である。
【図８】実施例の折畳んだ状態を示す側面図である。
【符号の説明】
１ａ  下部支保枠部材
１ｂ  上部支保枠部材
２    支柱
５    水平つなぎ材
６    筋かい
７    ヒンジ部材
８    間隔規制部材
９    床付き布わく
１２  幅木
１３  つかみ金具
１４  長尺幅木部材
１５  短尺幅木部材
１７  階段
１９  収納管
２２  親綱支柱
２５  掛止ピン
２７  筋かい
【図１】
2004197364.tif 000003
【図２】
2004197364.tif 000004
【図３】
2004197364.tif 000005
【図４】
2004197364.tif 000006
【図５】
2004197364.tif 000007
【図６】
2004197364.tif 000008
【図７】
2004197364.tif 000009
【図８】
2004197364.tif 000010